(57)【要約】【課題】スライダーのロック効果の持続性が乏しい。【解決手段】第１エレメント（１４０）及び第２エレメント（１５０）を含むエレメント列（１６０）が設けられた左右一方側のファスナーストリンガー（３００）と、第２エレメント（１５０）を含むエレメント列（１６０）が設けられた左右他方側のファスナーストリンガー（３００）が設けられる。第１エレメント（１４０）及び第２エレメント（１５０）は、各々、基部（１３０）に対して首部（１２０）を介して結合した頭部（１１０）を含み、基部（１３０）は、頭部側とは反対側に設けられた反対面（１３６）を有する。第２エレメント（１５０）の反対面（１３６）は、第１エレメント（１４０）の反対面（１３６）と比較して対向側縁（２１０）からより離間した位置に設けられ、噛合状態の左右の第２エレメント（１５０）によりスライダー（４００）をロックするためのロック部（１５００）が構成される。【選択図】図１
2015123111.tif 000002
【特許請求の範囲】
【請求項１】
複数の第１ファスナーエレメント（１４０）及び１以上の第２ファスナーエレメント（１５０）を含むファスナーエレメント列（１６０）がファスナーテープ（２００）の対向側縁（２１０）に設けられた左右一方側の第１ファスナーストリンガー（３００）と、
１以上の前記第２ファスナーエレメント（１５０）を含むファスナーエレメント列（１６０）がファスナーテープ（２００）の対向側縁（２１０）に設けられた左右他方側の第２ファスナーストリンガー（３００）と、
前記第１及び第２ファスナーストリンガー（３００）の各ファスナーエレメント列（１６０）に沿って摺動可能であるファスナースライダー（４００）を備え、
前記第１ファスナーエレメント（１４０）及び前記第２ファスナーエレメント（１５０）は、各々、基部（１３０）に対して首部（１２０）を介して結合した頭部（１１０）を含み、前記基部（１３０）は、前記頭部側とは反対側に設けられた反対面（１３６）を有し、
前記第２ファスナーエレメント（１５０）の前記反対面（１３６）は、前記第１ファスナーエレメント（１４０）の前記反対面（１３６）と比較して前記対向側縁（２１０）からより離間した位置に設けられ、
噛合状態の少なくとも２個の前記第２ファスナーエレメント（１５０）により前記ファスナースライダー（４００）をロックするためのロック部（１５００）が構成される、スライドファスナー。
【請求項２】
前記ロック部（１５００）に含まれる噛合状態の前記第２ファスナーエレメント（１５０）の左右幅（Ｗ２５０）は、噛合状態の前記第１ファスナーエレメントの左右幅（Ｗ２４０）若しくは噛合状態の前記第１及び第２ファスナーエレメントの左右幅（Ｗ２６０）よりも大きく、
前記ファスナースライダー（４００）の左右のフランジ部（４４０）の間の最小間隔（Ｗ２００）は、噛合状態の前記第１ファスナーエレメントの左右幅（Ｗ２４０）若しくは噛合状態の前記第１及び第２ファスナーエレメントの左右幅（Ｗ２６０）よりも大きく、
前記ロック部（１５００）に含まれる噛合状態の前記第２ファスナーエレメント（１５０）の前記左右幅（Ｗ２５０）は、前記ファスナースライダー（４００）の左右のフランジ部（４４０）の間の前記最小間隔（Ｗ２００）よりも大きい、請求項１に記載のスライドファスナー。
【請求項３】
前記第２ファスナーエレメント（１５０）の前記反対面（１３６）は、その全域において平坦面である、請求項１又は２に記載のスライドファスナー。
【請求項４】
前記ファスナースライダー（４００）が有する一組のフランジ部（４４０）間に前記噛合状態の少なくとも２個の前記第２ファスナーエレメント（１５０）が圧入された状態において、前記ファスナースライダー（４００）の前記フランジ部（４４０）の内面に接触している各第２ファスナーエレメント（１５０）の前記反対面（１３６）同士が、反対側を臨む態様で部分的に対向配置される、請求項１乃至３のいずれか一項に記載のスライドファスナー。
【請求項５】
前記ファスナースライダー（４００）が有する一組のフランジ部（４４０）間に前記噛合状態の少なくとも２個の前記第２ファスナーエレメント（１５０）が圧入された状態において、前記ファスナースライダー（４００）が有する上翼板（４１０）及び下翼板（４２０）の間で前記第２ファスナーエレメント（１５０）が上下変位可能である、請求項１乃至４のいずれか一項に記載のスライドファスナー。
【請求項６】
前記第２ファスナーエレメント（１５０）の前記反対面（１３６）は、前記ファスナーテープ（２００）の主面から離間するに応じて当該第２ファスナーエレメント（１５０）の前記頭部（１１０）側へ近接するように傾斜付けられている、請求項１乃至５のいずれか一項に記載のスライドファスナー。
【請求項７】
前記第２ファスナーエレメント（１５０）の前記反対面（１３６）が鏡面加工されている、請求項１乃至６のいずれか一項に記載のスライドファスナー。
【発明の詳細な説明】
【技術分野】
【０００１】
本開示は、スライドファスナーに関する。
【背景技術】
【０００２】
特許文献１には、スライダーの摺動時に同スライダーの内面に接触して摺動抵抗を増大させる抵抗部を備えた少なくとも一つの停止エレメントが、ファスナーストリンガーのエレメント列に局部的に配された構成が開示されている。特に、同文献の図４（ｌ）及び図５には、基部６２ａから突出した突出部６２ｈが設けられ、この突出部６２ｈの突出高さがスライダー３０の後口側端部における左右フランジ部３６間の最小間隔に対して設定される。同文献の段落０１１７には、「左右のエレメント列１２を噛合させたときに停止エレメント６２が配されている位置におけるエレメント列１２のチェーン幅を、スライダー３０の後口側端部における左右フランジ部３６間の最小間隔よりも大きくするように、停止エレメント６２における突出部６２ｈの突出高さを設定することにより、スライダー３０の摺動抵抗を増大させる抵抗部が構成されている」と記載されている。
【先行技術文献】
【特許文献】
【０００３】
【特許文献１】国際公開第２０１２／１２７６８８号
【発明の概要】
【発明が解決しようとする課題】
【０００４】
本願発明者は、特許文献１の図５の構成では停止ファスナーエレメントが突出部を有するが故にファスナースライダーのロックの効果の持続性が乏しいという課題があることを新たに見出した。
【課題を解決するための手段】
【０００５】
本発明の一態様に係るスライドファスナーは、複数の第１ファスナーエレメント（１４０）及び１以上の第２ファスナーエレメント（１５０）を含むファスナーエレメント列（１６０）がファスナーテープ（２００）の対向側縁（２１０）に設けられた左右一方側の第１ファスナーストリンガー（３００）と、１以上の前記第２ファスナーエレメント（１５０）を含むファスナーエレメント列（１６０）がファスナーテープ（２００）の対向側縁（２１０）に設けられた左右他方側の第２ファスナーストリンガー（３００）と、前記第１及び第２ファスナーストリンガー（３００）の各ファスナーエレメント列（１６０）に沿って摺動可能であるファスナースライダー（４００）を備える。前記第１ファスナーエレメント（１４０）及び前記第２ファスナーエレメント（１５０）は、各々、基部（１３０）に対して首部（１２０）を介して結合した頭部（１１０）を含み、前記基部（１３０）は、前記頭部側とは反対側に設けられた反対面（１３６）を有する。前記第２ファスナーエレメント（１５０）の前記反対面（１３６）は、前記第１ファスナーエレメント（１４０）の前記反対面（１３６）と比較して前記対向側縁（２１０）からより離間した位置に設けられ、噛合状態の少なくとも２個の前記第２ファスナーエレメント（１５０）により前記ファスナースライダー（４００）をロックするためのロック部（１５００）が構成される。
【０００６】
本構成においては、ファスナースライダーのフランジ部の内面に接触して摺動抵抗を増大させるための突出部を停止ファスナーエレメントの反対面に設ける必要が無く、繰り返しのファスナースライダーのフランジ部の内面との接触により生じる摩耗によってロック部のロック力が減じることを低減できる。ファスナースライダーのフランジ部の内面に接触して摺動抵抗を増大させる突出部自体を必要としないため、外力に応じて突出部が欠けることもない。
【０００７】
第１ファスナーストリンガーは、例えば、例示の後述の実施形態の右側ファスナーストリンガーであり、第２ファスナーストリンガーは、例えば、例示の後述の実施形態の左側ファスナーストリンガーである。
【０００８】
前記ロック部（１５００）に含まれる噛合状態の前記第２ファスナーエレメント（１５０）の左右幅（Ｗ２５０）は、噛合状態の前記第１ファスナーエレメントの左右幅（Ｗ２４０）若しくは噛合状態の前記第１及び第２ファスナーエレメントの左右幅（Ｗ２６０）よりも大きく、前記ファスナースライダー（４００）の左右のフランジ部（４４０）の間の最小間隔（Ｗ２００）は、噛合状態の前記第１ファスナーエレメントの左右幅（Ｗ２４０）若しくは噛合状態の前記第１及び第２ファスナーエレメントの左右幅（Ｗ２６０）よりも大きく、前記ロック部（１５００）に含まれる噛合状態の前記第２ファスナーエレメント（１５０）の前記左右幅（Ｗ２５０）は、前記ファスナースライダー（４００）の左右のフランジ部（４４０）の間の前記最小間隔（Ｗ２００）よりも大きい、と良い。
【０００９】
前記第２ファスナーエレメント（１５０）の前記反対面（１３６）は、その全域において平坦面である、と良い。
【００１０】
前記ファスナースライダー（４００）が有する一組のフランジ部（４４０）間に前記噛合状態の少なくとも２個の前記第２ファスナーエレメント（１５０）が圧入された状態において、前記ファスナースライダー（４００）の前記フランジ部（４４０）の内面に接触している各第２ファスナーエレメント（１５０）の前記反対面（１３６）同士が、反対側を臨む態様で部分的に対向配置される、と良い。
【００１１】
前記ファスナースライダー（４００）が有する一組のフランジ部（４４０）間に前記噛合状態の少なくとも２個の前記第２ファスナーエレメント（１５０）が圧入された状態において、前記ファスナースライダー（４００）が有する上翼板（４１０）及び下翼板（４２０）の間で前記第２ファスナーエレメント（１５０）が上下変位可能である、と良い。
【００１２】
前記第２ファスナーエレメント（１５０）の前記反対面（１３６）は、前記ファスナーテープ（２００）の主面から離間するに応じて当該第２ファスナーエレメント（１５０）の前記頭部（１１０）側へ近接するように傾斜付けられている、と良い。
【００１３】
前記第２ファスナーエレメント（１５０）の前記反対面（１３６）が鏡面加工されている、と良い。
【発明の効果】
【００１４】
本発明の一態様によれば、停止ファスナーエレメントを含んで構成されるロック部の効果の持続性を好適に確保できる。
【図面の簡単な説明】
【００１５】
【図１】本発明の第１実施形態に係るスライドファスナーの正面図であり、噛合状態の２個の停止ファスナーエレメントから構成された３個のロック部が前止部及び後止部の間を延びるファスナーエレメント列の両端部の間の中間部に設けられた状態を示し、ここで、各ロック部が互いに離間して設けられている。
【図２】本発明の第１実施形態に係るスライドファスナーのファスナーストリンガーの部分斜視図であり、両隣に通常ファスナーエレメントが設けられた停止ファスナーエレメントを中心に拡大視して示す。
【図３】本発明の第１実施形態に係るスライドファスナーのファスナーストリンガーの部分断面図であり、特に図２のＸ３−Ｘ３に沿う断面における停止ファスナーエレメントの断面構成を示す。
【図４】本発明の第１実施形態に係るスライドファスナーの正面模式図であり、ファスナースライダーの上翼板を透視して見える噛合状態の２個の停止ファスナーエレメントが左右のフランジ部の間に圧入される直前の状態を示す。なお、図４においてはファスナースライダーの下半分が模式的に示されている。
【図５】本発明の第１実施形態に係るスライドファスナーの正面模式図であり、ファスナースライダーの上翼板を透視して見える噛合状態の２個の停止ファスナーエレメントが左右のフランジ部の間に圧入された状態を示す。なお、図５においてはファスナースライダーの下半分が模式的に示されている。
【図６】図５の破線円の範囲の拡大図である。
【図７】図５の二点鎖線Ｘ７−Ｘ７に沿うスライドファスナーの断面模式図である。
【図８】本発明の第２実施形態に係るスライドファスナーの正面模式図であり、３個の停止ファスナーエレメントにより各ロック部が構成される例を示す。
【図９】本発明の第３実施形態に係るスライドファスナーの正面模式図であり、噛合状態の合計６個の停止ファスナーエレメントから構成されるロック部により左右のファスナーストリンガーが係合している状態を示す。
【図１０】本発明の第４実施形態に係るスライドファスナーの正面模式図であり、ここで、左側ファスナーエレメント列の全ファスナーエレメントが停止ファスナーエレメントであり、他方、右側ファスナーエレメント列では２個の停止ファスナーエレメントを除いてその余は通常ファスナーエレメントである。図１０においては、停止ファスナーエレメントに模様を付して示して通常ファスナーエレメントと区別している。
【図１１】本発明の変形例に係るスライドファスナーのファスナーストリンガーの部分断面図であり、図３に対応する。
【発明を実施するための形態】
【００１６】
以下、図面を参照しつつ、本発明の実施の形態について説明する。各実施形態は、個々に独立したものではなく、過剰説明をするまでもなく、当業者をすれば、適宜、組み合わせることが可能であり、この組み合わせによる相乗効果も把握可能である。実施形態間の重複説明は、原則的に省略する。
【００１７】
方向を示す用語を次のように定義する。前後方向は、ファスナースライダーの摺動方向に一致し、またファスナーテープの長さ方向に一致する。ファスナースライダーの前方への摺動によりスライドファスナーが閉じられ、ファスナースライダーの後方への摺動によりスライドファスナーが開かれる。左右方向は、一組のファスナーストリンガーの左右横並びの方向に一致し、またファスナーテープの幅方向に一致する。上下方向は、ファスナースライダーの上翼板と下翼板の上下横並びの方向に一致し、またファスナーテープの主面に直交する方向に一致する。なお、方向を示す用語は、以下の説明や添付図面に基づいて再定義可能であるものとする。
【００１８】
＜第１実施形態＞
図１乃至図７を参照して第１実施形態について説明する。図１は、スライドファスナーの正面図であり、噛合状態の２個の停止ファスナーエレメントから構成された３個のロック部が前止部及び後止部の間を延びるファスナーエレメント列の両端部の間の中間部に設けられた状態を示し、ここで、各ロック部が互いに離間して設けられている。図２は、スライドファスナーのファスナーストリンガーの部分斜視図であり、両隣に通常ファスナーエレメントが設けられた停止ファスナーエレメントを中心に拡大視して示す。図３は、スライドファスナーのファスナーストリンガーの部分断面図であり、特に図２のＸ３−Ｘ３に沿う断面における停止ファスナーエレメントの断面構成を示す。図４は、スライドファスナーの正面模式図であり、ファスナースライダーの上翼板を透視して見える噛合状態の２個の停止ファスナーエレメントが左右のフランジ部の間に圧入される直前の状態を示す。図５は、ファスナースライダーの上翼板を透視して見えるスライドファスナーの正面模式図であり、噛合状態の２個の停止ファスナーエレメントが左右のフランジ部の間に圧入された状態を示す。図６は、図５の破線円の範囲の拡大図である。図７は、図５の二点鎖線Ｘ７−Ｘ７に沿うスライドファスナーの断面模式図である。
【００１９】
スライドファスナー５００は、左右の一組のファスナーストリンガー３００、及び１個のファスナースライダー４００を備える。各ファスナーストリンガー３００は、ファスナーテープ２００と複数のファスナーエレメント１００を含む。なお、ファスナーエレメント１００は、後述の通常ファスナーエレメント１４０及び停止ファスナーエレメント１５０を包含する用語として用いる。なお、特許請求の範囲においては、通常ファスナーエレメントに対応し、かつこれを例示構成として包含する第１ファスナーエレメントとの用語を用い、停止ファスナーエレメントに対応し、かつこれを例示構成として包含する第２ファスナーエレメントとの用語を用いる。
【００２０】
スライドファスナー５００は、例えば、ウィンドブレーカー等の衣服の前身頃同士を開閉可能に連結する用途に用いられるが、これに限らず、鞄類や袋類に用いても構わない。ファスナースライダー４００の個数は任意であり、前側端部同士が突き合わされる２個のファスナースライダー４００若しくは後側端部同士が突き合わされる２個のファスナースライダー４００をスライドファスナー５００に設けても良い。
【００２１】
ファスナーテープ２００は、可撓性を有する長尺な織物類や編物類であり、図１に示した左右方向に一致する幅方向及び前後方向に一致する長さ方向を有する。テープ長さ方向にファスナーエレメント１００が一定間隔で設けられたファスナーエレメント列１６０がファスナーテープ２００の対向側縁２１０に一体的に設けられる。各ファスナーエレメント１００は射出成形により成形された中実の樹脂部であり、外力に応じて僅かに弾性変形できる。例えば、ファスナーエレメント１００は、ポリアセタール、ポリプロピレン、ポリブチレンテレフタレート、ナイロン、ポリカーボネート等の合成樹脂から成る。これ以外の材料によりファスナーエレメント１００を形成しても良い。
【００２２】
ファスナーテープ２００の対向側縁２１０には、ファスナーエレメント列１６０、前止部１８０、及び後止部１９０が設けられる。ファスナーエレメント列１６０の前側に前止部１８０が設けられ、ファスナーエレメント列１６０の後側に後止部１９０が設けられる。ファスナーテープ２００の対向側縁２１０は、好適には芯紐が設けられ、これにより、ファスナーエレメント１００等の樹脂成形部の脱落が抑止される。なお、「対向側縁」は、組を為すファスナーテープ２００の一方の側縁が他方のファスナーテープ２００の側縁に対向することに基づいて命名されている。ファスナーエレメント等の取付部として対向側縁を把握し、残余の部分をファスナーテープ主体部として把握しても構わない。ファスナーテープ主体部は、通常、縫着等により衣服に固定される。
【００２３】
後止部１９０は、本例では開離嵌挿具として構成され、蝶棒１９１、箱棒１９２、及び箱部１９３を含む。蝶棒１９１が箱部１９３に挿脱可能であり、ファスナースライダー４００のエレメント通路及び箱部１９３内の空間に蝶棒１９１を挿入した状態でファスナースライダー４００を前側に摺動することによりスライドファスナー５００が閉じられる。前止部１８０及び後止部１９０は、樹脂製又は金属製である。実施形態によっては、前止部１８０及び後止部１９０が省略される。
【００２４】
ファスナーエレメント列１６０は、複数の通常ファスナーエレメント１４０、及び１以上の停止ファスナーエレメント１５０から構成される。なお、ファスナーエレメント列１６０は、必ずしも通常ファスナーエレメント１４０と停止ファスナーエレメント１５０の両方の種類のファスナーエレメントを含む必要はなく、後述の第４実施形態のように停止ファスナーエレメント１５０のみから構成されても良い。
【００２５】
停止ファスナーエレメント１５０は、ファスナースライダー４００の摺動時に同スライダー４００のフランジ部４４０の内面に接触して摺動抵抗を増大させる抵抗部を備えたファスナーエレメントである。他方、通常ファスナーエレメント１４０は、そのような抵抗部を備えないファスナーエレメントである。停止ファスナーエレメント１５０は、通常ファスナーエレメント１４０を置換する態様で設けられ、また噛合対象の他方のファスナーエレメント列１６０の停止ファスナーエレメント１５０に噛合可能に設けられる。
【００２６】
なお、一組のファスナーストリンガー３００が、左側ファスナーストリンガー３０１、及び右側ファスナーストリンガー３０２を含む。左側ファスナーストリンガー３０１は、左側ファスナーテープ２０１、及び左側ファスナーエレメント列１６１を含む。左側ファスナーエレメント列１６１は、複数の左側ファスナーエレメント１０１から構成される。右側ファスナーストリンガー３０２は、右側ファスナーテープ２０２、及び右側ファスナーエレメント列１６２を含む。右側ファスナーエレメント列１６２は、複数の右側ファスナーエレメント１０２から構成される。左側ファスナーエレメント列１６１は、複数の左側通常ファスナーエレメント１４１、及び１以上の左側停止ファスナーエレメント１５１を含む。右側ファスナーエレメント列１６２は、複数の右側通常ファスナーエレメント１４２、及び１以上の右側停止ファスナーエレメント１５２を含む。
【００２７】
左右のファスナーストリンガー３００が噛合った状態において、左右の停止ファスナーエレメント１５０の噛合によりロック部１５００が構成される。ロック部１５００は、ファスナースライダー４００を位置固定（ロック）するための機能部分であり、当該ロック部１５００が噛合状態の一組のファスナーエレメント列１６０に局部的に設けられる。念のため確認までに述べれば、ロック部１５００は、ファスナースライダー４００を一時的に仮に位置固定（ロック）するための機能部である。ある例示の実施形態においては、ロック部１５００は、ロック部１５００を乗り越えて行われるスライドファスナー５００の開閉のためのファスナースライダー４００の摺動を極端に阻害するものではない。各ロック部１５００の間に間隔を設け、前側又は後側へのファスナースライダー４００の摺動の勢いを殺さないようにすることが望ましい。各ロック部１５００の間には、好適には左右合計して６個以上、若しくは８個以上、若しくは１０個以上、若しくは１２個以上のファスナーエレメント１００が存在することが望ましい。
【００２８】
ある形態においては、各ロック部１５００の間にはファスナースライダー４００の最大前後長よりも大きな間隔が設けられる。ある形態においては、各ロック部１５００は、ファスナーストリンガー３００の前後長の半分の位置よりも前側に設けられる。
【００２９】
ファスナースライダー４００は、ファスナーエレメント列１６０に沿って摺動可能である樹脂製又は金属製のファスナースライダーであり、必ずしもこの限りではないが好適には自由スライダーである。自由スライダーは、ファスナーエレメント列に食い込む爪を有していない単純な構成を有し、従って、ファスナースライダーの引手等を手で把持する等の直接的な操作を経るまでもなく、例えば、ファスナーテープを左又は右へ引いて変位することによりファスナーエレメント列上で自由スライダーを摺動させることが可能である。なお、より好適にはファスナースライダー４００が金属製である。
【００３０】
ファスナースライダー４００は、図１及び図４の参照から理解できるように、上翼板４１０、下翼板４２０、連結柱４３０、及びフランジ部４４０を有する。上翼板４１０と下翼板４２０が上下方向に対向配置されており、ファスナースライダー４００の前側に設けられた連結柱４３０が両者の間を連結する。ファスナースライダー４００は、必ずしもこの限りではないが、場合によっては着色される。例えば、ファスナースライダー４００は、白色や黒色に選択的に着色される。ファスナースライダー４００を着色する色によっては、ファスナースライダー４００を長時間に亘り着色用の撹拌槽内で撹拌することが要求される。この過程でファスナースライダー４００同士の衝突や壁面との衝突等によってファスナースライダー４００の上翼板４１０と下翼板４２０の間隔のバラツキが個々のファスナースライダー４００間で生じ得る。また、ファスナースライダー４００の表面に形成される無機顔料等から成る着色層の層厚の平面内でのバラツキが生じ得る。
【００３１】
フランジ部４４０は、左側フランジ部４４１と右側フランジ部４４２を含む。左側フランジ部４４１は、ファスナースライダー４００の前側端部において、連結柱４３０との間に左側ファスナーエレメント列１６１の移動空間を画定する。右側フランジ部４４２は、ファスナースライダー４００の前側端部において、連結柱４３０との間に右側ファスナーエレメント列１６２の移動空間を画定する。ファスナースライダー４００の後側端部において、左側フランジ部４４１と右側フランジ部４４２が対向し、噛合状態のファスナーエレメントの移動空間を画定する。左側フランジ部４４１、右側フランジ部４４２、及び連結柱４３０により上翼板４１０と下翼板４２０の間にＹ字状のファスナーエレメントの移動路が形成される。ファスナースライダー４００の前端部には連結柱４３０を挟んで設けられた２個のエレメント出入口が設けられ、ファスナースライダー４００の後端部には１個のエレメント出入口が設けられる。
【００３２】
左側フランジ部４４１が、上翼板４１０の左側部に連結した左側上部フランジ部、及び下翼板４２０の左側部に連結した左側下部フランジ部を含み、同様に、右側フランジ部４４２が、上翼板４１０の右側部に連結した右側上部フランジ部、及び下翼板４２０の右側部に連結した右側下部フランジ部を含むことは当業者が即時に理解するだろう。左側上部フランジ部と左側下部フランジ部の間には左側ファスナーテープが挿通される左側テープ通路が設けられ、右側上部フランジ部と右側下部フランジ部の間には右側ファスナーテープが挿通される右側テープ通路が設けられる。
【００３３】
図２に端的に示すように、通常ファスナーエレメント１４０及び停止ファスナーエレメント１５０を包括するファスナーエレメント１００は、頭部１１０が首部１２０を介して結合した基部１３０を含む。ファスナーエレメント１００の基部１３０がファスナーテープ２００の対向側縁２１０に固着し、ファスナーエレメント１００の首部１２０や頭部１１０がファスナーテープ２００の対向側縁２１０よりもテープ外方に突出して設けられる。テープ長さ方向の首部１２０の幅は、同方向の頭部１１０及び基部１３０の各幅よりも狭い。ファスナーテープ長さ方向の基部１３０の幅は、同方向の頭部１１０の幅よりも広い。
【００３４】
頭部１１０の先端面にはファスナーエレメント１００の厚み中央においてテープ長さ方向に直線状に延在する両端開放の係合溝部１７０が設けられる。ファスナーエレメント１００は、首部１２０を挟み込む態様にて設けられた一組の係合突起１７５をファスナーエレメント１００の厚み中央に有する。左側ファスナーエレメント１０１と右側ファスナーエレメント１０２が噛合う時、左側ファスナーエレメント１０１の係合突起１７５が右側ファスナーエレメント１０２の係合溝部１７０に係合し、右側ファスナーエレメント１０２の係合突起１７５が左側ファスナーエレメント１０１の係合溝部１７０に係合し、これによりファスナーエレメント列同士の噛合を強化することができる。なお、ここで述べたファスナーエレメントの厚み方向は、テープ幅方向及び長さ方向に直交する方向（上下方向）である。
【００３５】
図２及び図３に示すように、ファスナーエレメント１００の基部１３０は、テープ幅方向に延びる側面１３１、及び側面１３１が頭部１１０側とは反対側で結合した反対面１３６を有する。本例においては、ファスナーエレメント１００の基部１３０の側面１３１が、４つの側面から構成される。端的には、基部１３０の側面１３１は、（ｉ）ファスナーテープ２００の主面に平行に設けられ、ファスナーエレメント１００の厚み方向に直交する上面１３３、（ｉｉ）上面１３３の反対面である下面１３５、（ｉｉｉ）ファスナーテープ２００の主面に垂直に設けられ、上面１３３と下面１３５間を前側で接続する前側面１３２、及び（ｉｖ）上面１３３と下面１３５間を後側で接続し、かつ前側面１３２の反対面である後側面１３４を有する。なお、前側面１３２、後側面１３４、及び反対面１３６は、ファスナーテープ２００により上下に分断されている。前側面１３２及び後側面１３４は、隣接するファスナーエレメント１００の側面に対応する対向側面である。
【００３６】
前側面１３２、上面１３３、後側面１３４、及び下面１３５が反対面１３６の外周に結合し、好ましくは、丸み付られた縁１３７を介して結合する。反対面１３６は、好適にはその全域において凸凹が設けられていない平坦面であり、図３に示す如くファスナーテープ２００の主面から離間するに応じて頭部１１０側へ近接するように傾斜付けられても良い。停止ファスナーエレメント１５０の反対面１３６が図３に示すように傾斜付られる場合、ファスナースライダー４００内においてロック部１５００が上下変位可能であるため、ロック部１５００によりファスナースライダー４００が過度にロックされてしまうことを回避できる。また、停止ファスナーエレメント１５０の基部１３０の側面１３１が丸み付られた縁１３７を介して反対面１３６に結合することにより、噛合状態の２個の停止ファスナーエレメント１５０のファスナースライダー４００内への進入が促進される。
【００３７】
上述のように、ファスナースライダー４００をロックするためのロック部１５００が、噛合状態の２個の停止ファスナーエレメント１５０により構成され、当該ロック部１５００が噛合状態の一組のファスナーエレメント列１６０に局部的に設けられる。ロック部１５００を構成する各停止ファスナーエレメント１５０は、通常ファスナーエレメント１４０の反対面１３６よりもファスナーテープ２００の対向側縁２１０から離間した反対面１３６を有する。これにより、噛合状態の２個の停止ファスナーエレメント１５０の左右幅が、噛合状態の２個の通常ファスナーエレメント１４０の左右幅よりも広く確保される。なお、ここで述べた左右幅は、テープ幅方向（左右方向）に沿う幅である。
【００３８】
図１に示すように、本例においては、点線矩形で囲む範囲の３つのロック部１５００が設けられている。各ロック部１５００は、左側ファスナーストリンガー３０１の１個の左側停止ファスナーエレメント１５１と、右側ファスナーストリンガー３０２の１個の右側停止ファスナーエレメント１５２から構成されるが、必ずしもこの限りではなく、１個以上の任意の個数の左側停止ファスナーエレメント１５１と１個以上の任意の個数の右側停止ファスナーエレメント１５２により一個のロック部１５００を構築することもできる。
【００３９】
図２に示すように、通常ファスナーエレメント１４０の反対面１３６がファスナーテープ２００の対向側縁２１０から間隔Ｌ１１０の位置に設けられ、他方、停止ファスナーエレメント１５０の反対面１３６がファスナーテープ２００の対向側縁２１０から間隔Ｌ１２０の位置に設けられ、ここで間隔Ｌ１１０＜Ｌ１２０である。通常ファスナーエレメント１４０の反対面１３６よりも停止ファスナーエレメント１５０の反対面１３６がファスナーテープ２００の内方に設けられ、各反対面１３６の間には面間隔ＤＬ１００が設定される。なお、本例においては対向側縁２１０に芯紐が存在し、ファスナーテープ２００から最も外方に位置する芯紐の位置を基準として各反対面１３６の位置を比較している。本例においては反対面１３６が傾斜付けられているが、反対面１３６がファスナーテープ２００の主面に接する位置を反対面１３６の位置と見なしている。
【００４０】
図２に示す軸線ＡＸ０１〜ＡＸ０４は、テープ長さ方向に平行な軸線である。軸線ＡＸ０１は、テープ長さ方向に配列された各頭部１１０の各最先端位置上に設定される。軸線ＡＸ０２は、ファスナーテープ２００の最も外方に位置する対向側縁２１０の位置上に設定される。軸線ＡＸ０３は、各通常ファスナーエレメント１４０の反対面１３６がファスナーテープ２００の主面に接触する位置上に設定される。軸線ＡＸ０４は、各停止ファスナーエレメント１５０の反対面１３６がファスナーテープ２００の主面に接触する位置上に設定される。
【００４１】
図２に示すように、テープ幅方向に沿う通常ファスナーエレメント１４０の長さＬ１４０よりも同方向に沿う停止ファスナーエレメントの長さＬ１５０が長い。長さＬ１４０よりも長さＬ１５０を長く確保するために、対向側縁２１０からファスナーテープの外方へ延びる首部１２０や頭部１１０の長さを長くすることも考えられるが、ファスナーエレメントの噛合時に並走する芯紐の間に不要な間隔を生じさせるおそれがあり、好ましいものではない。
【００４２】
停止ファスナーエレメント１５０の反対面１３６は、少なくともファスナースライダー４００のフランジ部４４０の内面に接触する範囲において平坦面であることが望ましく、より好ましくはその全域において平坦面である。反対面１３６を非平坦面の凸凹面とする場合、反対面１３６に設けられた凸部がファスナースライダー４００のフランジ部４４０の内面に接触して摩耗してしまうおそれがあり、反対面１３６の位置が使用期間中にテープ外方へ移動してしまうおそれがある。反対面１３６を梨地の平坦面としても良いが、鏡面加工された平坦面とすることがより望ましい。これにより、噛合状態の停止ファスナーエレメント１５０の組をファスナースライダー４００内に圧入することが容易になる。鏡面加工の具体的手法は任意であるが、例えば、任意の研磨剤を用いて表面を平滑化することにより達成できる。
【００４３】
図４に示すように、噛合状態の一組の停止ファスナーエレメント１５０の左右幅Ｗ２５０は、噛合状態の一組の通常ファスナーエレメント１４０の左右幅Ｗ２４０よりも広い。ファスナースライダー４００の後側端部において対向する左側フランジ部４４１と右側フランジ部４４２の間隔Ｗ２００と比較すると、左右幅Ｗ２５０＞間隔Ｗ２００＞左右幅Ｗ２４０を満足する。左右幅Ｗ２４０と左右幅Ｗ２５０の僅かな差分が、停止ファスナーエレメント１５０の各反対面１３６を通常ファスナーエレメント１４０の各反対面１３６と比較して、対向側縁２１０側からファスナーテープ２００の内方へずらすことにより確保できる。なお、間隔Ｗ２００は、左右のフランジ部４４０間の最小間隔である。
【００４４】
ところで、ファスナースライダーを着色するため、多数のファスナースライダーを着色用の撹拌槽に投入し、所定期間に亘る撹拌等を経てファスナースライダーの表面に着色層を形成する場合がある。しかしながら、この過程においてファスナースライダーに対して外力が作用し、ファスナースライダーが変形し、例えば上翼板や下翼板間の間隔にバラツキが生じるおそれがある。また、ファスナースライダーの表面に形成される無機顔料等から成る着色層の層厚の平面内でのバラツキが生じ得る。
【００４５】
特許文献１の開示に倣い、ファスナースライダーの上翼板と下翼板間に停止ファスナーエレメントを圧入するとしても、上述のバラツキの影響によりロック部１５００のロック力にバラツキが生じ得る。例えば、あるスライドファスナーのロック部のロック力が他のスライドファスナーのロック部のロック力と異なることになる。場合によっては、ファスナーテープを左又は右へ引くことによりスライドファスナーを開けることが円滑に行えないスライドファスナーが生産されるおそれもあり、この場合、歩留まりが劣化してしまう。
【００４６】
他方、着色工程を経てもファスナースライダーの後口側端部の左右のフランジ部間の間隔については上翼板と下翼板間の間隔ほどのバラツキが生じないことが本願発明者の検討により明らかになった。この新たな知見に照らし、特許文献１、端的には、同文献の図５の構成に倣っても、外力に応じて突出部が欠けてしまうおそれがあり、また繰り返しのファスナースライダーの摺動接触に応じて突出部が摩耗してしまうおそれもあることに変わりは無く、ロック部のロック力の持続性に難がある。
【００４７】
仮に、摩耗による減少分を加えて突出部の突出高さを設定する場合、摩耗等に対する耐久性を向上できるかもしれないが、ロック部によるロック力が増大し、ファスナーテープ２００を左又は右へ引くことによりファスナースライダー４００の引手４７０の引き等の直接的な操作を無くしてスライドファスナー５００を円滑に開けることができなくなってしまうおそれがある。つまり、停止ファスナーエレメント上でのファスナースライダーの「ソフトロック」が確保し難くなるおそれがある。
【００４８】
本願発明者は、上述の検討を踏まえ、各停止ファスナーエレメント１５０の各反対面１３６の位置の微調整により、ロック部１５００のロック力が安定化したスライドファスナー５００を製造できることを見出した。ファスナースライダー４００を着色する場合には尚更である。ロック部１５００によるファスナースライダー４００のロック力を過度に強めないことにより、ロック部１５００によりファスナースライダー４００をソフトロックできる。
【００４９】
なお、図２に示した通常ファスナーエレメント１４０の長さＬ１４０及び停止ファスナーエレメント１５０の長さＬ１５０は、図４に示したフランジ部４４０と連結柱４３０の最小間隔Ｗ３００よりも小さい。ロック部１５００のロック機能は、噛合の組を為す停止ファスナーエレメント１５０が噛合った状態において発揮される。
【００５０】
図４は、左側停止ファスナーエレメント１５１の前側半分以上が左右のフランジ部４４０の間に進入し、他方の右側停止ファスナーエレメント１５２の側面１３１と反対面１３６の間の縁１３７が右側フランジ部４４２の後端部に接触している状態を示す。この時、左右のフランジ部４４０の間に噛合状態の停止ファスナーエレメント１５０が圧入されておらず、「未ロック状態」若しくは「ロック直前状態」と言える。
【００５１】
図５は、左側停止ファスナーエレメント１５１の全体が左右のフランジ部４４０の間に進入し、他方の右側停止ファスナーエレメント１５２の前側の大部分が左右のフランジ部４４０の間に進入し、左右のフランジ部４４０の間で一組の停止ファスナーエレメント１５０が圧入されている状態、言わば「ロック状態」を示す。
【００５２】
未ロック状態からロック状態へ推移するに際して、左側停止ファスナーエレメント１５１の反対面１３６が左側フランジ部４４１の内面に広範囲に接触している。従って、ファスナースライダー４００を引く力に応じて右側停止ファスナーエレメント１５２が左右のフランジ部４４０の間に円滑に進入し、フランジ部間への停止ファスナーエレメントの安定した圧入が確保される。
【００５３】
図６に示すように、ファスナースライダー４００の後側端部にある左右のフランジ部４４０の間に一組の停止ファスナーエレメント１５０が圧入されているとき、左側停止ファスナーエレメント１５１の反対面１３６と右側停止ファスナーエレメント１５２の反対面１３６同士が、反対側を臨む態様において部分的に対向する。テープ幅方向に並走する軸線ＡＸ２２と軸線ＡＸ２４の間で左側停止ファスナーエレメント１５１の反対面１３６と右側停止ファスナーエレメント１５２の反対面１３６が対向している。
【００５４】
かかる構成によれば、左右のフランジ部４４０によりテープ幅方向に沿う同軸上で一組の停止ファスナーエレメント１５０を所定範囲で挟み込むことができ、一組の停止ファスナーエレメント１５０同士の噛合いを十分に確保することができる。この場合、図７に示すように左側停止ファスナーエレメント１５１の基部１３０と右側停止ファスナーエレメント１５２の頭部１１０の接触箇所の弾性変形をより十分に確保でき、各フランジ部４４０に対する各停止ファスナーエレメント１５０の反対面１３６の接触箇所での弾性変形に極度に依存することなく左右のフランジ部４４０間へ停止ファスナーエレメント１５０を圧入することができる。これに加え、上述のように頭部１１０には係合溝部１７０が設けられており、これにより、頭部１１０側での弾性変形が促進される。
【００５５】
図７の断面に示すように、上翼板４１０と下翼板４２０の間に停止ファスナーエレメント１５０が圧入されておらず、上翼板４１０や下翼板４２０との間に僅かな隙間が形成され、停止ファスナーエレメント１５０が上翼板４１０と下翼板４２０の間で上下変位可能である。本実施形態においては、通常ファスナーエレメント１４０よりも停止ファスナーエレメント１５０の厚みを増加させることによりロック部１５００を構成することはしない。ファスナースライダー４００の着色過程において、ファスナースライダー４００の上翼板４１０と下翼板４２０間の間隔にバラツキが生じるおそれがある。上翼板４１０と下翼板４２０の間で停止ファスナーエレメント１５０を変位可能とすることにより、上述のバラツキの影響によりロック部１５００のロック力が変動することを回避することができる。
【００５６】
なお、特許文献１の如くスライドファスナーのファスナーエレメント列に対して突出部を有する停止ファスナーエレメントを設けると、通常ファスナーエレメントと異なる外観を呈する停止ファスナーエレメントによりスライドファスナーの外観上の統一感が損なわれてしまう。他方、本実施形態においては、停止ファスナーエレメント１５０の外観が通常ファスナーエレメント１４０の外観に極めて近いものであり、衣類や鞄類等のデザイン性の高い製品に用いられるスライドファスナーにおいて特に有利であり、美観の観点から無視できない有利な効果を奏するものと言える。
【００５７】
＜第２実施形態＞
図８を参照して第２実施形態について説明する。図８は、スライドファスナーの正面模式図であり、３個の停止ファスナーエレメントにより各ロック部が構成される例を示す。本実施形態においては、一つのロック部１５００が合計３個の停止ファスナーエレメント１５０から構成される。図８に示すように左側ファスナーストリンガー３０１の１個の左側停止ファスナーエレメント１５１と右側ファスナーストリンガー３０２の２個の右側停止ファスナーエレメント１５２からロック部１５００が構成される。このような場合においても第１実施形態と同様の効果を得ることができる。
【００５８】
ロック部１５００を構成する停止ファスナーエレメント１５０の個数は、好適には４個以下であり、より好適には３個以下である。この場合、摺動中のファスナースライダー４００の勢いを殺さない程度にロック部１５００のロック力を設定することができる。つまり、ファスナースライダー４００を後方へ摺動させてスライドファスナー５００を開けることを望む場合、ロック部１５００によりファスナースライダー４００の摺動が阻止されることは好ましいものではない。一つのロック部１５００を構成する停止ファスナーエレメント１５０の個数が多ければ多いほど、後方へ摺動中のファスナースライダー４００が停止する確率が高まる。この点に鑑みて、ロック部１５００を構成する停止ファスナーエレメント１５０の個数を４個以下とし、より好適には３個以下とすることが望ましい。なお、第３実施形態のようにロック部１５００を構成する停止ファスナーエレメント１５０の個数を５個以上とする場合もある。
【００５９】
＜第３実施形態＞
図９を参照して第３実施形態について説明する。図９は、スライドファスナーの正面模式図であり、噛合状態の合計６個の停止ファスナーエレメントから構成されるロック部により左右のファスナーストリンガーが係合している状態を示す。
【００６０】
本実施形態においては、スライドファスナー５００の開閉が前後２つのファスナースライダー４００により調整され、前後２つのファスナースライダー４００のために共用のロック部１５００が設けられる。このような場合においても上述の実施形態と同様の効果を得ることができる。スライドファスナー５００に設けられるファスナースライダーの数は任意であり、２以上の場合もあり得る。１つのロック部１５００は、１つのファスナースライダー４００のために設けられるのではなく、２つ以上のファスナースライダー４００のために設けられる場合もある。
【００６１】
特に複数のファスナースライダー４００用の共用のロック部１５００は、４個以上の停止ファスナーエレメント１５０を含むと良く、より好適には６個以上の停止ファスナーエレメント１５０を含む。１つのロック部１５００を構成する停止ファスナーエレメント１５０の数の増加によりロック部１５００を増強することができ、複数のファスナースライダー４００の停止のために十分な停止力を確保することができる。
【００６２】
図９に示す場合、前後２つのファスナースライダー４００の近接により左右のファスナーストリンガー３００が開かれ、前後２つのファスナースライダー４００の離間により左右のファスナーストリンガー３００が閉じられる。ロック部１５００は、左右のファスナーストリンガー３００を開状態とする近接配置の前後２つのファスナースライダー４００のための停止位置に設けられると言える。
【００６３】
図９に示す時、ロック部１５００の前側の２個の停止ファスナーエレメント１５０により前側のファスナースライダー４００がロックされており、そのファスナースライダー４００の自由な前後移動が規制されている。ロック部１５００の後側の２個の停止ファスナーエレメント１５０により後側のファスナースライダー４００がロックされており、そのファスナースライダー４００の自由な前後移動が規制されている。ロック部１５００によるファスナースライダー４００のロックの原理は上述の実施形態と同様であり冗長説明は省略する。
【００６４】
ある実施形態においては、後側のファスナースライダー４００をロック部１５００を超えて前側に移動させることもでき、同様に前側のファスナースライダー４００をロック部１５００を超えて後側に移動させることもできる。なお、ロック部１５００の前後長があまり長くなると本段落で説明している操作を行うために相当に強い力が必要になるおそれがある。従って、スライドファスナー５００の操作方法の自由度を確保するためにロック部１５００を構成する停止ファスナーエレメント１５０の数は１０個以下であり、場合によっては８個以下である。
【００６５】
＜第４実施形態＞
図１０を参照して第４実施形態について説明する。図１０は、スライドファスナーの正面模式図であり、ここで、左側ファスナーエレメント列の全ファスナーエレメントが停止ファスナーエレメントであり、他方、右側ファスナーエレメント列では２個の停止ファスナーエレメントを除いてその余は通常ファスナーエレメントである。図１０においては、停止ファスナーエレメントに模様を付して示して通常ファスナーエレメントと区別している。
【００６６】
本実施形態においては、左右一対のファスナーエレメント列の一方が停止ファスナーエレメント１５０のみから構成され、他方が通常ファスナーエレメント１４０の中に１以上の停止ファスナーエレメント１５０を局所的に含む。通常ファスナーエレメント１４０と停止ファスナーエレメント１５０の見た目に相違を付けることによりロック部１５００の位置を明示することができ、その適切な使用を促進することができる。
【００６７】
例えば、停止ファスナーエレメント１５０を黒色とし、通常ファスナーエレメント１４０を白色とする。この場合、左右一対のファスナーエレメント列の一方では白色の通常ファスナーエレメント１４０の中に黒色の停止ファスナーエレメント１５０が局所的に設けられることが視認でき、これが他方のファスナーエレメント列の黒色の停止ファスナーエレメント１５０と協調してロック部１５００を構成すると理解できる。ロック部１５００が利用者の利便に資するために意図的に設けられたものであることが簡便かつ即時に理解できる。
【００６８】
図１０に示す場合、左側ファスナーストリンガー３０１の左側ファスナーエレメント列が停止ファスナーエレメント１５０のみから構成される。右側ファスナーストリンガー３０２の右側ファスナーエレメント列が通常ファスナーエレメント１４０から主として構成され、この中に局所的に停止ファスナーエレメント１５０が設けられる。停止ファスナーエレメント１５０に模様が付されており、通常ファスナーエレメント１４０との識別が容易である。色や模様に限らず、ファスナーエレメントの表面の反射度に差をつけても良い。このように任意の態様により停止ファスナーエレメント１５０と通常ファスナーエレメント１４０の見た目に相違が付けられる。なお、停止ファスナーエレメント１５０のみからなるファスナーエレメント列を左側ではなく右側としても良い。
【００６９】
図１０に示すように噛合状態の左右の停止ファスナーエレメント１５０の左右幅Ｗ２５０は、噛合状態の左右の停止ファスナーエレメント１５０と通常ファスナーエレメント１４０の左右幅Ｗ２６０よりも大きい。図４に示したファスナースライダー４００の後側端部において対向する左側フランジ部４４１と右側フランジ部４４２の間隔Ｗ２００と比較すると、Ｗ２５０＞Ｗ２００を満足し、Ｗ２００＞Ｗ２６０を満足する。従って、ロック部１５００以外での円滑なファスナースライダー４００の摺動とロック部１５００でのファスナースライダー４００のロックを両立できる。
【００７０】
図１０に示す場合、右側の２つの停止ファスナーエレメント１５０の間に１つの通常ファスナーエレメント１４０が設けられる。例えば、ファスナースライダー４００を後方に動かして閉じたスライドファスナー５００を開ける時、上側のロック部１５００でスライドファスナー５００の移動速度が減じ、下側のロック部１５００でスライドファスナー５００の停止が確保される。なお、停止ファスナーエレメント１５０の間に挿入される通常ファスナーエレメント１４０の数は１つに限らず、２以上であっても良く、想定される形態では１個〜４個である。
【００７１】
最後に図１１を参照して変形例について説明する。図１１は、スライドファスナーのファスナーストリンガーの部分断面図であり、図３に対応する。本変形例においては、停止ファスナーエレメント１５０の反対面１３６がファスナーテープ２００の主面に対して垂直に設けられる。このような場合においても上述の実施形態で説明したものと同様の効果を得ることができる。ファスナースライダー４００のフランジ部４４０の内面との接触面積が増加し、ロック部１５００のロック力を高めることができる。なお、必ずしもこの限りではないが、通常ファスナーエレメント１４０も停止ファスナーエレメント１５０と同様に構成される。
【００７２】
上述の説明を踏まえれば、当業者が、各実施形態に対して様々な変更を加えることができるだろう。上翼板４１０に連結した上部フランジ部と下翼板４２０に連結した下部フランジ部の間に挿入されるフィン部をファスナーエレメント１００の反対面１３６に設けても構わない。噛合状態の２個以上の任意の数の停止ファスナーエレメント１５０によりロック部１５００を構成すれば良く、例えば、４個又は５個の停止ファスナーエレメント１５０によりロック部１５００を構成しても良い。１個のスライドファスナー５００に設けるロック部１５００の数は任意である。ロック部１５００のロック力は任意であり、ソフトロックの程度に限られるべきものではない。
【符号の説明】
【００７３】
５００            スライドファスナー
４００            ファスナースライダー
３００            ファスナーストリンガー
２００            ファスナーテープ
１００            ファスナーエレメント
１４０            通常ファスナーエレメント（第１ファスナーエレメント）
１５０            停止ファスナーエレメント（第２ファスナーエレメント）
１６０            ファスナーエレメント列
１１０            頭部
１２０            首部
１３０            基部
１３１            側面
１３６            反対面
１５００          ロック部
【図１】
2015123111.tif 000003
【図３】
2015123111.tif 000004
【図６】
2015123111.tif 000005
【図９】
2015123111.tif 000006
【図１１】
2015123111.tif 000007
【図２】
2015123111.tif 000008
【図４】
2015123111.tif 000009
【図５】
2015123111.tif 000010
【図７】
2015123111.tif 000011
【図８】
2015123111.tif 000012
【図１０】
2015123111.tif 000013